(57)【特許請求の範囲】
【請求項１】
差込口から平板ケーブルが挿入されるハウジングの上部と下部との間に配置され、
前記差込口側の前方へ延び、前記ハウジングの下部に当接する固定部と、
前記固定部の前方から湾曲して立ち上がる立上部と、
前記立上部の上方から前方へ延び、前記ハウジングの上部に設けられた第１の係止部に係止される湾曲形状を有する第１の被係止部と、
前記第１の被係止部から前方へ延び、前記第１の被係止部と逆方向に湾曲する延伸部と、
前記延伸部から前方へ延び、前記延伸部と逆方向に湾曲して、前記平板ケーブルと接触する接触部とを備え、
前記ハウジングに組み付けられた状態で、前記立上部は、前記固定部とのなす角度が少なくとも鋭角に撓み変形されていることを特徴とするコネクタ接続端子。
【請求項２】
前記固定部と前記立上部との間に設けられ、前記ハウジングの下部に設けられた第２の係止部に係止される第２の被係止部を備えることを特徴とする請求項１に記載のコネクタ接続端子。
【請求項３】
前記係止部は、凹部、孔部、及び段状部の少なくとも１つであることを特徴とする請求項２に記載のコネクタ接続端子。
【請求項４】
前記被係止部は、前記係止部の側面に当接する角部を備えることを特徴とする請求項３に記載のコネクタ接続端子。
【請求項５】
差込口から平板ケーブルが挿入されるハウジングと、
前記ハウジングの上部と下部との間に配置されるコネクタ接続端子とを備え、
前記コネクタ接続端子は、
前記差込口側の前方へ延び、前記ハウジングの下部に当接する固定部と、前記固定部の前方から湾曲して立ち上がる立上部と、前記立上部の上方から前方へ延び、前記ハウジングの上部に設けられた係止部に係止される湾曲形状を有する被係止部と、前記被係止部から前方へ延び、前記被係止部と逆方向に湾曲する延伸部と、前記延伸部から前方へ延び、前記延伸部と逆方向に湾曲して、前記平板ケーブルと接触する接触部とを含み、
前記ハウジングに組み付けられた状態で、前記被係止部が前記係止部に係止され、前記立上部は、前記固定部とのなす角度が鋭角に撓み変形されていることを特徴とするコネクタ装置。
【発明の詳細な説明】
【技術分野】
【０００１】
本発明は、コネクタ接続端子に関し、特に、フレキシブル印刷配線基板（ＦＰＣ）やフレキシブル平板状ケーブル（ＦＦＣ）などのコネクタ接続端子に関する。
【背景技術】
【０００２】
従来のコネクタ接続端子では、図１５に示すように、各導電体コンタクト（３０）が、絶縁ハウジング（２０）に固定される固定部（３２）とこの固定部に対して弾性変形可能な可動部（３４）とが一体的に構成されたもので、可動部の頂部に略へ字状に形成されたエッジ部（３５）がケーブルの導電パッドに常時接触する接点となるように構成される。（例えば、特許文献１参照）。
【０００３】
また、従来のコネクタ接続端子では、図１６に示すように、複数のコンタクトがそれぞれ櫛歯状にキャリア部に連接されてなるキャリア付きコンタクト４０を形成し、個々の導電体コンタクト３０の固定部３２には、その両側にやや幅の大きくなった部分３２ａがあり、さらにその部分に角度の付いた突起部３２ｂがあり、一方、絶縁ハウジングの２０の個々の導電体コンタクト３０が圧入される通路の下側の、導電体コンタクト３０の固定部３２に対応する部位には、溝幅がやや大きくなった部分２１がある。そして、キャリア付きコンタクト４０の絶縁ハウジング２０への一括圧入時に、導電体コンタクト３０を一括して下側へ押さえ付けつつ個々の導電体コンタクト３０の幅広部４０を溝部分２１に一括して嵌合させ、かつ同時に突起部３２ｂを溝部分２１の壁に食い込ませて固定する。
【先行技術文献】
【特許文献】
【０００４】
【特許文献１】特開２０１１−１３４５８２号公報
【発明の概要】
【発明が解決しようとする課題】
【０００５】
従来のコネクタ接続端子では、固定部３２を溝部分２１の壁に食い込ませて導電体コンタクト３０を固定する。したがって、図１６に示すように、平型ケーブル用コネクタの製造において、複数のコンタクト部４４（例えば、１列で３〜１００本程度）を、Ｑ方向に所定間隔で並列してキャリア４２に配置保持する場合、固定部３２の幅を確保しなければならず、所定間隔（ピッチ）が広くなることから、キャリア４２に配置保持されるコンタクト部４４の数が少なくなり、コンタクト部４４を形成する材料の歩留まりが低くなるとともに、製造コストが高くなる。
【課題を解決するための手段】
【０００６】
本発明のコネクタ接続端子は、差込口から平板ケーブルが挿入されるハウジングの上部と下部との間に配置され、前記差込口側の前方へ延び、前記ハウジングの下部に当接する固定部と、前記固定部の前方から湾曲して立ち上がる立上部と、前記立上部の上方から前方へ延び、前記ハウジングの上部に設けられた第１の係止部に係止される湾曲形状を有する第１の被係止部と、前記第１の被係止部から前方へ延び、前記第１の被係止部と逆方向に湾曲する延伸部と、前記延伸部から前方へ延び、前記延伸部と逆方向に湾曲して、前記平板ケーブルと接触する接触部とを備え、前記ハウジングに組み付けられた状態で、前記立上部は、前記固定部とのなす角度が鋭角に撓み変形されていることを特徴とする。
【０００７】
この構成によれば、曲げ加工により湾曲形状が形成され、湾曲形状により係止部に係止する被係止部を備えることで、簡易にコネクタ接続端子を製造することができ、キャリアに接続される端子用金属片の間隔（ピッチ）を狭くすることにより、材料の歩留まりを高くし、製造コストを安くすることができる。
【０００８】
本発明のコネクタ接続端子は、前記固定部と前記立上部との間に設けられ、前記ハウジングの下部に設けられた第２の係止部に係止される第２の被係止部を備える。
【０００９】
この構成によれば、第１の被係止部と同様に、第２の被係止部がハウジングの下部に係止することで、端子の係止力を安定させることができる。
【００１０】
本発明のコネクタ接続端子では、前記係止部は、凹部、孔部、及び段状部の少なくとも１つである。
【００１１】
この構成によれば、凹部、孔部、及び段状部の少なくとも１つである係止部の側面に、被係止部が当接することにより、端子に付される外力に対抗することができる。
【００１２】
本発明のコネクタ接続端子では、前記被係止部は、前記係止部の側面に当接する角部を備える。
【００１３】
この構成によれば、係止部の側面に、被係止部の角部が当接することにより、端子に付される外力に対抗することができ、端子の係止力を安定させることができる。
【発明の効果】
【００１４】
本発明のコネクタ接続端子によれば、矩形の端子用金属片に曲げ加工を施すことにより、簡易にコネクタ接続端子を製造することができ、キャリアに接続される端子用金属片の間隔（ピッチ）を狭くすることにより、材料の歩留まりを高くし、製造コストを安くすることができる。
【図面の簡単な説明】
【００１５】
【図１】本実施の形態のコネクタ接続端子の一例を含む図である。
【図２】本実施の形態のコネクタ接続端子の構成を示した図である。
【図３】図１のＸ部分を拡大した図である。
【図４】（ａ）ハウジングの斜視図である。（ｂ）図４（ａ）の破線の断面を矢印Ａから見た図である。（ｃ）図４（ｂ）のハウジングに端子が配置された図である。
【図５】端子の形状を示した図である。
【図６】プレス加工により金属板に端子用金属片が形成された図である。
【図７】曲げ加工により端子用金属片から端子が形成されることを示した図である。
【図８】平板ケーブル（ＦＰＣ／ＦＦＣ）を保持するスライダーがＰＣＢコネクタに嵌合することを示した図である。
【図９】スライダーがＰＣＢコネクタに嵌合した状態を示した図である。
【図１０】図９の直線の断面を矢印Ｂから見た図である。
【図１１】係止部が孔部である場合を示した図である。
【図１２】ハウジングの下部に係止部（第２の係止部）が設けられる場合を示した図である。
【図１３】係止部（第２の係止部）が凹部である場合を示した図である。
【図１４】被係止部（第１の被係止部）が角部を有することを示した図である。
【図１５】従来のコネクタ接続端子を示した図である。
【図１６】従来のコネクタ接続端子において、複数のコンタクトがそれぞれ櫛歯状にキャリア部に連接されていることを示した図である。
【発明を実施するための形態】
【００１６】
以下、本発明の実施の形態のコネクタ接続端子について、図面を用いて説明する。図１は、本実施の形態のコネクタ接続端子の一例を含む図である。図１に示すように、ＰＣＢコネクタ（コネクタ装置）１は、ハウジング２及び基板固定部品３を含む。基板固定部品３は、ハウジング２に配置（圧入）される。なお、配置には、圧入が含まれる。また、フラットケーブル（フレキシブルケーブル）を含む板状部（図示せず）が、ＰＣＢコネクタ１の前方に設けられた差込口５に差し込まれる。
【００１７】
図２は、本実施の形態のコネクタ接続端子の構成を示した図である。図２に示すように、ＰＣＢコネクタ（コネクタ装置）１は、複数の端子（コネクタ接続端子）４を内部に備える。複数の端子４は、ハウジング２の内部に装着され、差込口５に差し込まれたフラットケーブル（フレキシブルケーブル）とコンタクト（接触部）を介して電気的に接続されて導通する。基板固定部品３は、ハウジング２に圧入された状態で、ハウジング２の底面に設けられる基板（図示せず）に固定され、ＰＣＢコネクタ（コネクタ装置）１を基板に固定する。
【００１８】
図３は、図１のＸ部分を拡大した図である。図３に示すように、基板固定部品３は、ハウジング２の挿入部３１に圧入されて、基板に固定される。端子４のコンタクト（接触部）４１は、ハウジング２の下部から露出し、ハウジング２の前方から差込口５に差し込まれたフラットケーブル（フレキシブルケーブル）と接触して電気的に接続する。
【００１９】
図４（ａ）は、ハウジング２の斜視図である。図４（ｂ）は、図４（ａ）の直線の断面を矢印Ａから見た図である。図４（ｃ）は、図４（ｂ）のハウジング２に端子４が配置された図である。図４（ｂ）に示すように、ハウジング２は、上部２２と下部２３とを備える。上部２２と下部２３との間に、差込口５が形成される。差込口５は、差込端部４６を備え、差込口５から差し込まれるフラットケーブル（又は、フラットケーブルを含む板状部）の端部を制止する。上部２２の後方に、係止部６（第１の係止部）が形成される。本実施の形態では、係止部６は、凹部である。係止部６より前方の上部２２の厚さが、係止部６より後方の上部２２の厚さよりも厚くなっている。下部２３は、前方に前方突起部２７を備え、差込口５よりも深い溝形状（溝部）を有する。下部２３の下端部２６は、上部２２の上端部２５よりも前方に設けられる。
【００２０】
図４（ｃ）に示すように、フラットケーブル（平板ケーブル）が挿入されるハウジング２の上部２２と下部２３の間に、上部２２と下部２３に接触するように、端子（コネクタ接続端子）４が配置される。端子４は、ハウジング２の上部２２に設けられた係止部（第１の係止部）６に係止する被係止部（第１の被係止部）７を備える。被係止部７は、湾曲形状を有する。被係止部７は、上部２２に設けられた係止部（第１の係止部）に係止することで、上部２２に固定される。端子４の後方には、固定部２４が設けられ、下部２３の下端部２６に半田などで固定される。なお、固定部２４は、下部２３に設けられた係止部（第２の係止部）に係止することで、下部２３に固定されてもよい。
【００２１】
固定部２４は、下端部２６の段状部に一致するように、段状に形成されている。端子４は、ハウジング２に組み込まれた状態で、固定部２４の前方で係止部６の後方に配置され、略９０度に湾曲した立上部２９を備える。また、立上部２９は、差込端部４６の後方に配置される。なお、本実施の形態では、湾曲には屈曲が含まれる。
【００２２】
端子４は、立上部２９の前方に、係止部６の形状に一致する被係止部（第１の被係止部）７を備える。特に、被係止部７は、係止部（凹部）６の前方側面３３に当接することにより、係止部６の形状に一致する。立上部２９が撓むことによる反力を用いて、上部２２と下部２３との間における端子４の係止力が調節されてもよい。
【００２３】
端子４は、被係止部７の前方に、被係止部７と逆方向に湾曲する延伸部３４を備える。延伸部３４は、差込口５内において、上部２２から下部２３の溝部２８まで延伸する。延伸部３４の前方は、差込口５よりも深い溝部２８に配置される。端子４は、延伸部３４の前方に、接触部４１を備える。接触部４１は、溝部２８から差込口５内に露出し、ハウジング２の前方から差込口５に差し込まれたフラットケーブル（フレキシブルケーブル）と接触して電気的に接続する。
【００２４】
図５は、端子４の形状を示した図である。図５に示すように、端子４は、後方から前方に向かって、固定部２４、立上部２９、被係止部７、延伸部３４、及び接触部４１を備える。被係止部７は、立上部２９と逆方向に湾曲している。延伸部３４は、被係止部７と逆方向に湾曲している。接触部４１は、延伸部３４と逆方向に湾曲している。被係止部７の曲率は、立上部２９の曲率より小さい。延伸部３４の曲率は、被係止部７の曲率より小さい。接触部４１の曲率は、延伸部３４の曲率より大きい。被係止部７の前方側面３５は、図４（ｂ）に示す係止部６の前方側面３３に当接して、後方から前方への外力が端子４に与えられた場合に、この外力に対する反力を生じさせる。
【００２５】
次に、端子４の製造方法について説明する。図６は、プレス加工により金属板に端子用金属片が形成された図である。図６に示すように、可撓性及び導電性を有する金属板４３にプレス加工が施され、複数の端子用金属片４５が、キャリア４２に接続された状態で、プレス工程における金属板送り方向に形成される。端子用金属片４５は、矩形であり、所定の間隔で金属板送り方向に形成される。
【００２６】
図７は、曲げ加工により端子用金属片４５から端子４が形成されることを示した図である。図７に示すように、端子用金属片４５（端子部）が、キャリア４２に切り離し用スリットを介して接続される。そして、端子用金属片４５（端子部）に曲げ加工が施されることで、図５に示すような端子４が形成される。この場合、曲げ加工前の端子用金属片４５は、矩形であり、金属板送り方向に突起部を備えていないので、突起部を備えている場合に比べ、図６に示すように、端子用金属片４５の間隔（ピッチ）を狭くすることができ、キャリア４２に配置保持される端子用金属片４５（端子部）の数が多くなり、端子用金属片４５（端子部）を形成する材料の歩留まりが高くなるとともに、製造コストが安くなる。また、複雑な形状ではなく、汎用性の高い矩形金属片に簡易な曲げ加工を施すことにより、端子４をハウジング２内に係止（固定）できるので、製造コストが安くなるとともに、曲げ加工を調整することで、様々な係止（固定）機能を有する端子４を製造することができる。
【００２７】
次に、平板ケーブル（ＦＰＣ、ＦＦＣなど）の挿入を補助するスライダーについて説明する。図８は、平板ケーブル（ＦＰＣ／ＦＦＣ）を保持するスライダー６０がＰＣＢコネクタ１に嵌合することを示した図である。図９は、スライダー６０がＰＣＢコネクタ１に嵌合した状態を示した図である。図１０は、図９の直線の断面を矢印Ｂから見た図である。
【００２８】
図８に示すように、平板ケーブル（ＦＰＣ／ＦＦＣ）は、スライダーカバー６１によりスライダー６０に保持される。スライダーカバー６１が、スライダー６０に係止することで、平板ケーブル（ＦＰＣ／ＦＦＣ）は、スライダー６０とスライダーカバー６１の間に挟持される。
【００２９】
図８及び図９に示すように、平板ケーブル（ＦＰＣ／ＦＦＣ）を保持するスライダー６０が、ＰＣＢコネクタ１の差込口５に対向する位置から、差込口５に挿入される。スライダー６０の差込部６２が差込口５に差し込まれることで、平板ケーブル（ＦＰＣ／ＦＦＣ）が差込口５に挿入される。
【００３０】
図１０に示すように、平板ケーブル（ＦＰＣ／ＦＦＣ）が差込部６２の差込端部６３に当接した状態で、平板ケーブル（ＦＰＣ／ＦＦＣ）がスライダー６０に保持され、差込部６２とともに平板ケーブル（ＦＰＣ／ＦＦＣ）が差込口５に挿入される。差込部６２の差込角部６４がハウジング２と接触するまで、差込部６２が差込口５に差し込まれる。この結果、差込部６２が一定の距離で差込口５に差し込まれることで、端子（コネクタ接続端子）４が、差込口５に差し込まれた平板ケーブル（ＦＰＣ／ＦＦＣ）と確実に接触して電気的に接続する。
【００３１】
以上、本発明にかかる実施の形態について説明したが、本発明はこれらに限定されるものではなく、請求項に記載された範囲内において変更・変形することが可能である。
【００３２】
例えば、係止部６は、凹部、孔部、及び段状部の少なくとも１つであればよい。図１１は、係止部６が孔部である場合を示した図である。図１１に示すように、ハウジング２の上部２２に孔部（第１の係止部）が設けられる。端子（コネクタ接続端子）４は、平板ケーブルが挿入されるハウジング２の上部２２と下部２３の間に配置され、ハウジング２の上部２２に設けられた孔部（第１の係止部）に係止される被係止部（第１の被係止部）７を備える。また、被係止部７は、係止部（孔部）６の前方側面３３に当接することにより、後方から前方への外力が端子４に与えられた場合に、この外力に対する反力を生じさせる。
【００３３】
図１２は、ハウジング２の下部２３に係止部（第２の係止部）５０が設けられる場合を示した図である。係止部５０は、凹部、孔部、及び段状部の少なくとも１つであればよい。図１２に示すように、端子（コネクタ接続端子）４は、ハウジング２の下部２３に設けられた係止部（第２の係止部）５０に係止される被係止部（第２の被係止部）５１を備える。被係止部５１は、固定部２４と立上部２９との間に設けられる。被係止部５１は、係止部５０の後方側面５３に当接して、前方から後方への外力が端子４に与えられた場合に、この外力に対する反力を生じさせる。また、端子（コネクタ接続端子）４は、立上部２９と被係止部７との間に、肩部５２を備えてもよい。肩部５２は、被係止部７と角部５４によって接続され、角部５４が上部２２の後方側面３６と当接することにより、端子４と上部２２との係止力を高める。また、肩部５２の上面が上部２２の下面に当接し、被係止部（第２の被係止部）５１及び固定部２４が下部２３に当接することにより、端子４を上部２２と下部２３との間に係止する係止力が高まる。この場合、立上部２９が撓むことによる反力を用いて、上部２２と下部２３との間における端子４の係止力を調節してもよい。
【００３４】
図１３は、係止部（第２の係止部）５０が凹部である場合を示した図である。図１３に示すように、被係止部（第２の被係止部）５１は、係止部５０に嵌合する凸部を有し、凸部の角部５５が、係止部５０の後方側面５３に当接して、前方から後方への外力が端子４に与えられた場合に、この外力に対する反力を生じさせる。凸部（角部５５）は、打ち込みによって形成される。
【００３５】
図１４は、被係止部（第１の被係止部）７が角部５６を有することを示した図である。図１４に示すように、被係止部７の前方側面３５は角部５６を有し、角部５６が係止部６の前方側面３３に当接して、後方から前方への外力が端子４に与えられた場合に、この外力に対する反力を生じさせる。
【産業上の利用可能性】
【００３６】
矩形の端子用金属片に曲げ加工を施すことにより、簡易にコネクタ接続端子を製造することができ、キャリアに接続される端子用金属片の間隔（ピッチ）を狭くすることにより、材料の歩留まりを高くし、製造コストを安くすることができるコネクタ接続端子を提供し、フレキシブル印刷配線基板（ＦＰＣ）やフレキシブル平板状ケーブル（ＦＦＣ）などのコネクタ接続端子などとして有用である。
【符号の説明】
【００３７】
１  ＰＣＢコネクタ
２  ハウジング
３  基板固定部品
４  端子
５  差込口
６  係止部（第１の係止部）
７  被係止部（第１の被係止部）
２２  上部
２３  下部
２４  固定部
２７  前方突起部
２８  溝部
２９  立上部
３４  延伸部
４１  接触部
４２  キャリア
４５  端子用金属片
４６  差込端部
５０  係止部（第２の係止部）
５１  被係止部（第２の被係止部）
５２  肩部
５４，５５，５６  角部
６０  スライダー
６１  スライダーカバー
６２  差込部
６３  差込端部
６４  差込角部
【図１】
0005902549.tif 000002
【図２】
0005902549.tif 000003
【図３】
0005902549.tif 000004
【図４】
0005902549.tif 000005
【図５】
0005902549.tif 000006
【図６】
0005902549.tif 000007
【図７】
0005902549.tif 000008
【図８】
0005902549.tif 000009
【図９】
0005902549.tif 000010
【図１０】
0005902549.tif 000011
【図１１】
0005902549.tif 000012
【図１２】
0005902549.tif 000013
【図１３】
0005902549.tif 000014
【図１４】
0005902549.tif 000015
【図１５】
0005902549.tif 000016
【図１６】
0005902549.tif 000017